(57)【要約】【課題】  壁面に固定されるシャワーホルダーにおいて、壁面に固定されるベース部材と、このベース部材に嵌合されシャワーヘッドが支持されるホルダー本体とが、外力により容易に離脱することがないようにする。【解決手段】  シャワーホルダーＡは、壁面Ｂに固定されるベース部材１と、このベース部材１に上部から嵌合され、シャワーヘッドＤが着脱自在に支持されるホルダー本体１０と、このホルダー本体１０に結合され、ホルダー本体１０のベース部材１から上部への移動を防止する抜止具２０とを備えている。【選択図】  図２
2005240289.tif 000002
【特許請求の範囲】
【請求項１】
壁面に固定されるベース部材と、このベース部材に上部から嵌合され、シャワーヘッドが着脱自在に支持されるホルダー本体と、このホルダー本体に結合され、ホルダー本体のベース部材から上部への移動を防止する抜止具とを備えたことを特徴とするシャワーホルダー。
【請求項２】
前記ベース部材は一対の係合体が形成され、ホルダー本体は各係合体が係合する係合部が形成され、抜止具には両係合体の間に装着され、係合体の係合部への係合状態を維持する立板部が形成されていることを特徴とする請求項１記載のシャワーホルダー。
【発明の詳細な説明】
【技術分野】
【０００１】
この発明は、例えば浴室等の壁面に固定され、シャワーヘッドを着脱自在に支持するためのシャワーホルダーに関する。
【背景技術】
【０００２】
シャワーホルダーは例えば浴室，シャワールーム等の壁面に固定され、シャワーヘッドを支持したままの状態でシャワー水を吐水したり、シャワーヘッドを支持した状態から取り出してシャワー水を吐水するものであるが、壁面に対しビスにより固定するため、シャワーヘッドをシャワーホルダーから取り出した状態ではビスの頭部が正面に露出してしまい、見苦しくなってしまうものであった。また、シャワーヘッドは各メーカーから多種類販売されており、各シャワーヘッドの形状は様々であり、使用するシャワーヘッドが、がたつくことがなく、安定した状態で支持することのできるシャワーホルダーを用意する必要がある。この場合、シャワーホルダーをベース部材とホルダー本体との２つの物品に分割し、共通のベース部材を使用し、形状の異なる複数個のホルダー本体のうちいずれかを選択して、ベース部材に装着する場合がある。
【０００３】
そして、特許文献１のシャワーホルダーは、ベース部材とホルダー本体との２つ物品からなり、板状のベース部材は複数のビスにより壁面に固定され、このベース部材に対し、シャワーヘッドが支持されるホルダー本体を上部から嵌合させ、ベース部材の底面部に形成された平縁とホルダー本体の底面部に形成された掛け爪とを互いに係合させることで、ホルダー本体はベース部材から容易に離脱することがないように結合させている。また、ホルダー本体をベース部材から取り外すには、ドライバーの爪の部分を平縁から外せばよいものである。
【０００４】
【特許文献１】特開平５−２０２５４３号公報
【発明の開示】
【発明が解決しようとする課題】
【０００５】
ところがこのようなシャワーホルダーでは、ベース部材とホルダー本体とは、平縁と掛け爪との係合により離脱しないようにしているが、ホルダー本体に対し下方向から強い外力が加わることは想定されていない。しかし、浴室でシャワーヘッドを使用する場合に、使用者は床から立ち上がった状態でシャワー水を吐水したり、シャワーヘッドを高い位置に支持した状態から吐水することがあり、シャワーヘッドを支持するシャワーホルダーは、壁面の比較的高い位置に固定される。そのため、使用者は浴室内で不用意に手を伸ばした際にシャワーホルダーに当接し、下方向からの強い外力がシャワーホルダーに加わると、ホルダー本体の掛け爪とベース部材の平縁との係合状態が解除され、ベース部材からホルダー本体が脱落してしまうという問題を抱えていた。
【０００６】
この発明は、このような従来の技術に存在する問題点に着目してなされたものであり、その課題は、壁面に固定されるシャワーホルダーにおいて、壁面に固定されるベース部材と、このベース部材に嵌合されシャワーヘッドが支持されるホルダー本体とが、外力により容易に離脱することがないようにすることである。
【課題を解決するための手段】
【０００７】
上記目的を達成するため、請求項１に記載の発明は、シャワーホルダーは、壁面に固定されるベース部材と、このベース部材に上部から嵌合され、シャワーヘッドが着脱自在に支持されるホルダー本体と、このホルダー本体に結合され、ホルダー本体のベース部材から上部への移動を防止する抜止具とを備えたものである。
【０００８】
請求項２では請求項１記載の発明によるシャワーホルダーにおいて、前記ベース部材は一対の係合体が形成され、ホルダー本体は各係合体が係合する係合部が形成され、抜止具には両係合体の間に装着され、係合体の係合部への係合状態を維持する立板部が形成されているものである。
【発明の効果】
【０００９】
本発明の請求項１によると、壁面に固定されたシャワーホルダーに対し下方向から外力が加わることがあっても、ホルダー本体がベース部材から脱落することがなく、安心して使用できるものである。
【００１０】
請求項２のシャワーホルダーでは、抜止具をホルダー本体から外せば、ホルダー本体はベース部材から分離し、工具を使用しなくても容易に分解することができる。
【発明を実施するための最良の形態】
【００１１】
以下、本発明の実施例を図に基づいて詳細に説明する。
【実施例１】
【００１２】
図１及び図２に示すように、シャワーホルダーＡは、２本のビスＣ，Ｃによって壁面Ｂに固定されるベース部材１と、このベース部材１に対し上部から着脱自在に嵌合され、前部にはシャワーヘッドＤが支持されるホルダー本体１０と、このホルダー本体１０がベース部材１から脱落しないようにするため、ベース部材１及びホルダー本体１０に対し下部から結合される抜止具２０とから構成される。
【００１３】
図２及び図３に示すように、前記ベース部材１は縦長の薄板状で、合成樹脂材からなり、中央部分には縦方向に間隔を設けて上下２つの貫通孔２，２ａが穿設されており、上側の貫通孔２は丸孔で、下側の貫通孔２ａは縦長としている。そして、このベース部材１は、両貫通孔２，２ａに対し表面からビスＣ，Ｃをそれぞれ挿入して壁面Ｂに螺着することで、壁面Ｂの適宜の高さ位置で固定される。ベース部材１の表面には、底面側から上下方向略中間部に向けて一対の係合体３，３が立設されており、互いの係合体３，３は棒状に形成され、下側の貫通孔２の両側に間隔を設けて立設されており、係合体３，３の上部先端には、下部外方向へ向けて広がるテーパー面３ｂを備えた係合爪３ａが形成されている。この係合体３，３は棒状で合成樹脂材により形成されているため、横方向から外力が加わると、互いの間隔が狭くなったり広がるように、収縮したり拡開するものである。
【００１４】
図３及び図４はベース部材１の背面側を示し、この背面側は壁面Ｂに対し向かい合うものであり、下側の貫通孔２ａに対し左右両側には、底面から上下方向略中央部に向けて縦長とした縦孔４，４が一対形成され、この縦孔４，４は上下方向の上側部４ａ，４ａが前後に貫通している。またベース部材１の左右両端には、底面から上面まで縦方向にレール溝５，５が形成され、互いのレール溝５，５の上下中心部よりやや下部には、水平方向に切欠くことで横溝６，６が形成されている。
【００１５】
前記ホルダー本体１０はベース部材１と同じく合成樹脂材からなり、図２及び図４に示すように、前部には上下方向に貫通し前方に開口する開口部１１が形成されており、この開口部１１を囲むように左右両側には側部１２，１２が形成されている。また、開口部１１には、上方から挿入されるシャワーヘッドＤを着脱自在に支持するための支持部材１３が収容され、この支持部材１３は両側部１２，１２で回転自在に支持されている。
【００１６】
ホルダー本体１０はベース部材１と向かい合う背面側の左右両側に、一対の嵌合溝１４，１４が縦軸方向に形成されており、互いの嵌合溝１４，１４の左右の間隔は、前記ベース部材１に形成されたレール溝５，５の左右の間隔と略同一であり、壁面Ｂに固定されたベース部材１のレール溝５，５に対し、ホルダー本体１０の嵌合溝１４，１４を上部から嵌合させ、下方向にスライドさせることができるものである。また、ホルダー本体１０の両嵌合溝１４，１４の上部で略中央にはストッパー部１５が形成され、ベース部材１のレール溝５，５とホルダー本体１０の嵌合溝１４，１４とが嵌合した状態からホルダー本体１０が下方向に移動し、ベース部材１の上端がストッパー部１５に当接すると、ホルダー本体１０は下部への移動が阻止され、ベース部材１から抜けることがないようにしている。
【００１７】
ホルダー本体１０の背面側は、両嵌合溝１４，１４より内部で底面側から中央部にかけて、縦長に一対の係合部１６，１６が互いに間隔を設けて形成されており、この係合部１６,１６の上端には互いに向かい合う直角部１６ａ，１６ａが形成されている。この係合部１６はベース部材１に対しホルダー本体１０を装着する場合に、ベース部材１の係合体３と係合し、ベース部材１に対しホルダー本体１０が一体に嵌合されるものである。
【００１８】
前記抜止具２０はベース部材１及びホルダー本体１０と同じく合成樹脂材からなり、図２に示すように、ホルダー本体１０に形成された両嵌合溝１４，１４の左右の間隔と略同一寸法である横板部２１と、この横板部２１の後方から上部に立ち上がる立板部２２と、横板部２１の左右両側から上部に立ち上がる一対の係合足２３，２３とを備えている、立板部２２は縦長の薄板状で、その縦方向の長さはベース部材１の両係合体３，３と略同一であり、横方向の長さは両係合体３，３の左右の間隔と略同一である。立板部２２はベース部材１の両係合体３，３の間に挿入されることで、両係合体３，３が内側へ収縮しないようにし、ベース部材１とホルダー本体１０との嵌合状態を維持するものである。前記係合足２３，２３は先端に係合爪２３ａ，２３ａが形成され、この係合爪２３ａ，２３ａは前記ベース部材１の横溝６に弾力的に係合することで、抜止具２０がベース部材１から離脱しないようにしている。
【００１９】
上記構成のシャワーホルダーＡにおいて、ホルダー本体１０はベース部材１に対し次のように固定される。図２に示すように、ベース部材１は背面側を壁面Ｂの適宜の高さ位置に当接させて、ビスＣ，Ｃをそれぞれの貫通孔２，２ａに挿通し、壁面Ｂに螺着する。ベース部材１は壁面Ｂの表側に露出した状態で固定されており、次に図４に示すように、ホルダー本体１０をベース部材１に対し上部から嵌合する。この場合、図５に示すように、ベース部材１とホルダー本体１０とは、レール溝５，５と嵌合溝１４，１４とが互いに嵌合した状態である。しかも、ベース部材１の各係合体３，３は、ホルダー本体１０の係合部１６，１６に対し弾力的に撓んだ状態であり、その先端の係合爪３ａ，３ａが係合部１６，１６の直角部１６ａ，１６ａに係止している。
【００２０】
この状態では、ベース部材１のレール溝５，５とホルダー本体１０の嵌合溝１４，１４とが嵌合した状態であり、レール溝５，５はホルダー本体１０のストッパー部１５に当接し、それ以上ホルダー本体１０が下部へ移動することはなく、ホルダー本体１０に対し大きな外力が上部から加わることがあっても、ホルダー本体１０はベース部材１から離脱することはない。しかしながら、例えば浴室内で身体の一部がホルダー本体１０に触れ、ホルダー本体１０に対し下方向から大きな外力が加わると、図６に示すようにベース部材１の各係合体３，３とホルダー本体１０の係合部１６，１６との係合状態が解除されてしまい、ホルダー本体１０はベース部材１のレール５，５に沿って上部に移動し、ベース部材１から離脱してしまう。
【００２１】
そこで図７及び図８に示すように、ベース部材１及びホルダー本体１０に対し下部から抜止具２０を装着する。抜止具２０を装着すると、抜止具２０の立板部２２はベース部材１の両係合体３，３の間に挿入され、両係合体３，３は内側へ撓むことがなく、ホルダー本体１０の係合部１６，１６との係合状態が維持され、ホルダー本体１０に対し下方向からの外力が加わることがあっても、ベース部材１から離脱することがない。また、抜止具２０の係合足２３，２３はベース部材１の横溝６，６に係合した状態であり、抜止具２０はベース部材１とホルダー本体１０とに係合している。従って、ホルダー本体１０に対し下方向から外力が加わることがあっても、ベース部材１からホルダー本体１０が抜けて脱落してしまうことがない。
【００２２】
次に、ホルダー本体１０をベース部材１から取り外すには、抜止具２０を指で摘み、下方向に強く引き抜けば、抜止具２０はベース部材１及びホルダー本体１０から下方向へスライドし、ベース部材１の両係合体３，３の間から抜止具２０の立板部２２が無くなる。そして、ホルダー本体１０をベース部材１に対し上方向へ引き上げれば、ホルダー本体１０はベース部材１から分離される。
【００２３】
このように本発明のシャワーホルダーは、ベース部材及びホルダー本体に対し抜止具を装着することで、ホルダー本体に対し下方向から外力が加わることがあってもベース部材から離脱することがなく、安全に使用することができる。また、抜止具を外せば、ホルダー本体をベース部材から容易に分離させることができるものである。
【図面の簡単な説明】
【００２４】
【図１】本発明のシャワーホルダーが壁面に固定された状態の斜視図である。
【図２】シャワーホルダーの分解斜視図である。
【図３】ベース部材の背面図である。
【図４】ベース部材とホルダー本体との背面側の斜視図である。
【図５】ベース部材とホルダー本体との嵌合状態の説明図である。
【図６】ベース部材からホルダー本体がやや上部に移動した場合の説明図である。
【図７】シャワーホルダーの背面側の説明図である。
【図８】シャワーホルダーの背面側の斜視図である。
【符号の説明】
【００２５】
１    ：ベース部材
３    ：係合体
１０  ：ホルダー本体
１６  ：係合部
２０  ：抜止具
２２  ：立板部
Ａ    ：シャワーホルダー
Ｂ    ：壁面
Ｄ    ：シャワーヘッド
【図１】
2005240289.tif 000003
【図２】
2005240289.tif 000004
【図３】
2005240289.tif 000005
【図４】
2005240289.tif 000006
【図５】
2005240289.tif 000007
【図６】
2005240289.tif 000008
【図７】
2005240289.tif 000009
【図８】
2005240289.tif 000010